(57)【要約】【課題】作業機のメンテナンスの状況を容易に把握することができるようにする。【解決手段】表示装置１は、日付の流れを示す日付時間軸２０に沿って日付を付すことにより構成した日付目盛部１３と、作業機が稼働した稼働累積時間の流れを示す稼働時間軸２５を日付時間軸２０に沿って表示すると共に稼働時間軸２５に沿って稼働累積時間を付すことにより構成した稼働時間目盛部１４と、メンテナンスを行った稼働累積時間に対応する位置に、メンテナンスを行ったことを示すマーク部を表示するメンテナンス表示部１７とを備えている。【選択図】図３
2014070434.tif 000002
【特許請求の範囲】
【請求項１】
日付の流れを示す日付時間軸に沿って前記日付を付すことにより構成した日付目盛部と、作業機が稼働した稼働累積時間の流れを示す稼働時間軸を前記日付時間軸に沿って表示すると共に稼働時間軸に沿って稼働累積時間を付すことにより構成した稼働時間目盛部と、メンテナンスを行った稼働累積時間に対応する位置に、メンテナンスを行ったことを示すマーク部を表示するメンテナンス表示部とを備えていることを特徴とする作業機のメンテナンス表示装置。
【請求項２】
前記日付と前記稼働累積時間とを関連付けて記憶する記憶部を備えており、前記記憶部に記憶された日付と稼働累積時間とに基づいて、前記稼働時間目盛部を調整する目盛調整部を備えていることを特徴とする請求項１に記載の作業機のメンテナンス表示装置。
【請求項３】
前記目盛調整部は、日付目盛部で表示する表示期間内に入る先の日付を抽出すると共に、前記表示期間内であって先の日付よりも後の日付を記憶部から抽出し、抽出した先の日付から後の日付までの間に作業機が稼働した稼働累積時間の長さを求め、求めた稼働累積時間の長さに基づいて、稼働時間目盛部の目盛の位置を調整することを特徴とする請求項２に記載の作業機のメンテナンス表示装置。
【請求項４】
前記目盛調整部は、前記日付目盛部において目盛を付した目盛期間内に、前記作業機が稼働した稼働累積時間の長さを求め、求めた稼働累積時間の長さに基づいて稼働時間目盛部の目盛の位置を調整することを特徴とする請求項２又は３に記載の作業機のメンテナンス表示装置。
【請求項５】
前記メンテナンス表示部は、マーク部と共にメンテナンスを行うメンテナンス項目を表示することを特徴とする請求項１〜４のいずれかに記載の作業機のメンテナンス表示装置。
【請求項６】
日付の流れを示す日付時間軸に沿って前記日付を付すことにより日付目盛部と、作業機が稼働した稼働累積時間の流れを示す稼働時間軸を前記日付時間軸に沿って表示すると共に稼働時間軸に沿って稼働累積時間を付すことにより構成した稼働時間目盛部と、メンテナンスを行った稼働累積時間に対応する位置に、メンテナンスを行ったことを示すマーク部を表示するメンテナンス表示部とを備えていることを特徴とする作業機のメンテナンス表示システム。
【発明の詳細な説明】
【技術分野】
【０００１】
本発明は、トラクタ、コンバイン、田植機等の農業機械、バックホーの建設機械等の作業機のメンテナンス表示装置及び作業機のメンテナンス表示システムに関する。
【背景技術】
【０００２】
従来より、農業機械、建設機械等の作業機のメンテナンス情報を自動的に収集して、収集したメンテナンス情報を活用したいという要望がある。作業機のメンテナンス情報を収集する技術として、特許文献１に示すものがある。
特許文献１では、作業機械にメンテナンスモニタ装置を設けており、メンテナンスモニタ装置は、作業機械に係る稼働情報（稼働累積時間）および故障情報を収集して記憶部に保存しかつ通信手段およびインターネットを介してメンテンナンス管理サーバに送信している。また、メンテナンス管理サーバは、稼働累積時間と故障情報を受信して、作業機械ごとに稼働累積時間と故障情報を保存している。
【先行技術文献】
【特許文献】
【０００３】
【特許文献１】特開２００３−７６４１６号公報
【発明の概要】
【発明が解決しようとする課題】
【０００４】
特許文献１は、作業機械に係る稼働累積時間および故障情報を通信手段を介して管理サーバに送信して、管理サーバ側にて稼働累積時間や故障情報を管理するものである。ここで、稼働累積時間は所定の時間単位で管理されるもので、この稼働累積時間のみを見ただけでは、何月何日というように日付での故障情報は把握できないのが実情である。
そこで、本発明は上記問題点に鑑み、作業機のメンテナンスの状況を日付と稼働累積時間とを対応させて容易に把握することができる作業機のメンテナンス表示装置及び作業機のメンテナンス表示システムを提供することを目的としたものである。
【課題を解決するための手段】
【０００５】
この技術的課題を解決するための本発明の技術的手段は、以下に示す点を特徴とする。
請求項１に係る発明は、日付の流れを示す日付時間軸に沿って前記日付を付すことにより構成した日付目盛部と、作業機が稼働した稼働累積時間の流れを示す稼働時間軸を前記日付時間軸に沿って表示すると共に稼働時間軸に沿って稼働累積時間を付すことにより構成した稼働時間目盛部と、メンテナンスを行った稼働累積時間に対応する位置に、メンテナンスを行ったことを示すマーク部を表示するメンテナンス表示部とを備えていることを特徴とする。
【０００６】
請求項２に係る発明は、前記日付と前記稼働累積時間とを関連付けて記憶する記憶部を備えており、前記記憶部に記憶された日付と稼働累積時間とに基づいて、前記稼働時間目盛部を調整する目盛調整部を備えていることを特徴とする。
請求項３に係る発明は、前記目盛調整部は、日付目盛部で表示する表示期間内に入る先の日付を記憶部から抽出すると共に、前記表示期間内であって先の日付よりも後の日付を記憶部から抽出し、抽出した先の日付から後の日付までの間に作業機が稼働した稼働累積時間の長さを求め、求めた稼働累積時間の長さに基づいて、稼働時間目盛部の目盛の位置を調整することを特徴とする。
【０００７】
請求項４に係る発明は、前記目盛調整部は、前記日付目盛部において日付を付した目盛期間内に、前記作業機が稼働した稼働累積時間の長さを求め、求めた稼働累積時間の長さに基づいて稼働時間目盛部の目盛の位置を調整することを特徴とする。
請求項５に係る発明は、前記メンテナンス表示部は、マーク部と共にメンテナンスの項目を表示することを特徴とする。
【０００８】
請求項６に係る発明は、日付の流れを示す日付時間軸に沿って前記日付を付すことにより日付目盛部と、作業機が稼働した稼働累積時間の流れを示す稼働時間軸を前記日付時間軸に沿って表示すると共に稼働時間軸に沿って稼働累積時間を付すことにより構成した稼
働時間目盛部と、メンテナンスを行った稼働累積時間に対応する位置に、メンテナンスを行ったことを示すマーク部を表示するメンテナンス表示部とを備えていることを特徴とする。
【発明の効果】
【０００９】
本発明によれば、以下の効果を奏する。
請求項１及び６に係る発明によれば、日付と作業機が稼働した稼働累積時間とを対応させつつ、メンテナンスを行ったことを表示することができるため、メンテナンスを行った日付だけでなく、そのときの作業機の稼働累積時間を把握することができる。即ち、日付と稼働累積時間とメンテナンスのマーク部とにより、作業機のメンテナンスの状況を容易に把握することができる。
【００１０】
請求項２に係る発明によれば、目盛調整部によって日付に応じて稼働累積時間の目盛を調整することができるため、日付と稼働累積時間とを簡単に対応付けすることができ、所定の日付における稼働累積時間を把握することができる。
請求項３に係る発明によれば、先の日付から後の日付までの所定期間内において作業機が稼働した稼働累積時間の長さを求めることにより、所定日付から将来に亘る稼働累積時間を推測することができ、推測した稼働累積時間を目盛部に反映することができる。それゆえ、所定の日付における稼働累積時間が記憶部に記憶されていない場合でも、推測した稼働累積時間を用いて所定の日付での稼働累積時間を求めることが可能となり、所定の日付と稼働累積時間とを対応付けすることができる。
【００１１】
請求項４に係る発明によれば、目盛が付されている目盛期間において作業機が稼働した稼働累積時間の長さを求めることにより、将来に亘る稼働累積時間が分からない場合でも、日付目盛部の目盛に対応した稼働累積時間の目盛を付すことができる。例えば、１年毎に目盛が付されている場合には、目盛期間は１年間となる。ある年（例えば、２０１２年）において、その２０１２年の１年間に作業機が稼働した稼働累積時間が分からない場合でも、過去の目盛期間（例えば、２０１１年の１年間）の間に稼働した稼働累積時間の長さから、２０１２年における稼働累積時間を推測することができ、その稼働累積時間の推測に基づいて日付と稼働累積時間とを対応させることが可能となる。
請求項５に係る発明によれば、マーク部と、メンテナンス項目とを見れば、メンテナンスを行う時期を簡単に把握することができる。
【図面の簡単な説明】
【００１２】
【図１】作業機のメンテナンス表示装置の全体図である。
【図２】記憶部に記憶したメンテナンス情報の一例を示す図である。
【図３】メンテナンス画面の一例を示した図である。
【図４】稼働時間目盛部の目盛を調整する説明図である。
【図５】作業機のメンテナンス表示システムの全体図である。
【発明を実施するための形態】
【００１３】
以下、本発明の実施の形態を図面に基づいて説明する。
図１は、作業機のメンテナンス表示装置の全体図を示したものである。
作業機のメンテナンス表示装置(以降、表示装置という)１は、農業機械や建設機械等の作業機のメンテナンスに関する情報（メンテナンス情報）を表示するものである。
表示装置１は、作業機の運転席の周囲に設けられたものであって、例えば、作業機のメンテナンス情報の他に、作業機の駆動状態（エンジン回転数、水温、燃料等）を表示する。なお、本発明の表示装置１は、メンテナンス情報とは別に、様々な情報を表示することができるものであっても、メンテナンス情報のみを表示することができるものであってもよい。
【００１４】
表示装置１は、表示部２と、制御部３と、記憶部４とを備えている。
表示部２は、例えば、液晶画面によって構成され、液晶画面には文字、数値、絵柄、線などを用いてメンテナンス情報などを表示することができる。説明の便宜上、表示部（液晶画面）２に、メンテナンス情報を表示した画面のことをメンテナンス画面ＭＳという。
制御部３は、ＣＰＵ等から構成されて表示部２や記憶部４等、即ち、表示装置１の全体を制御するものであり、例えば、記憶部４に記憶されたメンテナンス情報を表示部２に表示させたり、メンテナンス情報を記憶部４に記憶させるなどの様々な制御を行う。制御部
３は、表示装置１に関する制御を行うものであれば、どのようなものであってもよく、制御内容は上述したものに限定されない。
【００１５】
制御部３は、作業機が稼働した稼働時間をカウントするカウント部５と、日付等の時間を求めるタイマ部６とを備えている。カウント部５及びタイマ部６は、制御部３に格納されたプログラム等から構成されている。この制御部３は、カウント部５で求められた稼働時間を累積した累積時間を稼働累積時間として保持するようになっている。稼働累積時間や日付は、表示装置１に表示されるようになっている。
【００１６】
記憶部４は、不揮発性メモリ等から構成されていて、メンテナンス情報などの様々な情報を記憶するものである。この記憶部４には、メンテナンスを行ったメンテナンス項目（エンジンオイルの交換、エンジンオイルフィルタの交換、油圧オイルフィルタの交換など）と、各メンテナンス項目に対してメンテナンスを行った時（メンテナンス時期）とを関連付けて、メンテナンス情報として記憶している。
【００１７】
図２は、記憶部４に記憶したメンテナンス情報の一例を示したものである。
記憶部４は、例えば、メンテナンス項目として「エンジンオイルの交換」を記憶すると共に、エンジンオイルの交換を行ったメンテナンス時期を記憶している。メンテナンス時期として、記憶部４には、エンジンオイルの交換を行った時の作業機の稼働累積時間（作業機が稼働した稼働時間を累積したもの）を記憶すると共に、エンジンオイルの交換を行った時の日付を記憶している。即ち、記憶部４は、メンテナンスを行った時の稼働累積時間と日付とを関連付けて記憶している。
【００１８】
また、記憶部４は、メンテナンス項目として、「エンジンオイルフィルタの交換」や「油圧オイルフィルタの交換」を記憶すると共に、各メンテナンス項目に対応して、メンテナンスを行った時期である稼働累積時間や日付を記憶している。
なお、記憶部４へのメンテナンス情報の記憶方法は、どのようなものであってもよい。例えば、メンテナンス時に、表示装置１に表示されている稼働累積時間及び日付を記録用紙に記録すると共に、メンテナンスを行ったメンテナンス項目を記録用紙に記録しておき、記録用紙に記録したメンテナンス項目、稼働累積時間及び日付を、表示装置１を操作して入力することにより、これらメンテナンス項目、稼働累積時間及び日付を記憶部４に記憶させてもよい。
【００１９】
或いは、メンテナンス時に、表示装置１等をメンテナンス情報を入力するためのメンテナンスモードにし、メンテナンスモードにした表示装置１を操作することによりメンテナンス項目を入力すると共に、自動的に制御部３から稼働累積時間及び日付を取得して、入力したメンテナンス項目、自動的に取得した稼働累積時間及び日付を記憶部４に記憶させてもよい。また、メンテナンス時に制御部３で求めた稼働累積時間及び日付を、メンテナンス項目と共に外部機器（例えば、管理サーバ、携帯端末など）に送信して、これらのメンテナンス情報（メンテナンス項目、稼働累積時間、日付）を一旦、外部機器に保持させておき、外部機器に保持させたメンテナンス情報を、外部機器から読み込むことにより、これらメンテナンス情報を記憶部４に記憶させてもよい。
【００２０】
図３は、メンテナンス画面ＭＳの一例を示したものである。
図３に示すように、メンテナンス画面ＭＳは、少なくとも、予め定められた複数のメンテナンス項目（エンジンオイルの交換、エンジンオイルフィルタの交換、油圧オイルフィルタの交換など）と、各メンテナンス項目に対してメンテナンスを行った時（メンテナンス時期）とを、メンテナンス情報として表示するものである。この実施形態では、メンテナンス項目、メンテナンス時期の他に、各メンテナンス項目に対してメンテナンスを推奨する時期（メンテナンス推奨時期）をメンテナンス情報としてメンテナンス画面ＭＳに表示する。
【００２１】
具体的には、メンテナンス画面ＭＳの左側は、メンテナンス項目（メンテナンス項目など）を表示する第１エリア１０とされ、このメンテナンス項目を除く他の部分は、メンテナンス時期やメンテナンス推奨時期を示す第２エリア１１とされている。
さらに詳しくは、第１エリア１０は、上から順に、各メンテナンス項目を表示する項目表示部とされ、第２エリア１１の上側は、日付を表示する日付目盛部１３とされている。
また、第２エリア１１内であって、日付目盛部１３の下側は、作業機が稼働した稼働累積時間を表示する稼働時間目盛部１４とされている。
【００２２】
第２エリア１１内であって、稼働時間目盛部１４の下側には、メンテナンス項目に対してメンテナンスを行ったことを示すマーク（第１マーク部）１５やメンテナンスを行うことを推奨するマーク（第２マーク部）１６を表示するメンテナンス表示部１７が表示されている。
日付目盛部１３は、日付の流れを示す日付時間軸２０に沿って日付を付すことにより構成したものである。具体的には、日付目盛部１３は、第２エリア１１の一端（左端）から第２エリア１１の他端（右端）にかけて１本の線を引くことにより構成した日付時間軸２０の上側に、日付時間軸２０に沿って日付を示す数値を所定の間隔で付すことにより構成されている。
【００２３】
より詳しくは、日付時間軸２０の一端側は、日付目盛部１３において日付の表示を開始する点（表示開始点Ｏ１）とされ、日付時間軸２０の他端側は、日付目盛部１３において日付の表示を終了する点（表示終了点Ｅ１）とされる。日付時間軸２０上には、表示開始点Ｏ１から表示終了点Ｅ１にかけて予め定められた目盛幅で目盛線２１が順に付され、予め定められた目盛幅に応じて、各目盛線２１の上側に日付を示す数値が付与される。例えば、目盛幅が１年に設定されている場合、日付時間軸２０上に、１年毎に目盛線２１が付与され、各目盛線２１は、１年の始まりの日付である「１月１日」を示している。目盛線２１の上側に西暦何年の「１月１日」であったかを示す数値が付される。
【００２４】
なお、日付目盛部１３を表示するにあたって、日付の表示期間（日付目盛部１３で表示する日付の期間）は、適宜設定することができる。例えば、日付の表示期間を、「２０１１年１月１日」〜２０１３年２月１日」にした場合、最も早い日付である「２０１１年１月１日」が表示開始点Ｏ１となり、最も遅い日付である２０１３年２月１日」が表示終了点Ｅ１となる。
【００２５】
また、後述するように、メンテナンスを行ったことを示す第１マーク部１５の表示やメンテナンスを行うことを推奨する第２マーク部１６を表示に対応して、メンテナンスを行った日付の位置（日付時間軸２０上の位置）に、メンテナンスを行った日付又はメンテナンスを行うことを推奨する日付を表示することが好ましい。
稼働時間目盛部１４は、作業機が稼働した稼働累積時間の流れを示す稼働時間軸２５に稼働累積時間を付すことにより構成したものである。具体的には、稼働時間目盛部１４は、第２エリア１１の一端（左端）から第２エリア１１の他端（右端）にかけて１本の線を引くことにより構成した稼働時間軸２５の上側に、稼働時間軸２５に沿って稼働累積時間を示す数値を所定の間隔で付すことにより構成されている。稼働時間目盛部１４の稼働時間軸２５は、日付目盛部１３の日付時間軸２０下側に位置していて、当該稼働時間軸２５と日付時間軸２０とは平行になっている。稼働時間目盛部１４における目盛、即ち、稼働時間軸２５上に示される目盛線２２と、目盛線２２に付される稼働累積時間を示す数値は、記憶部４に記憶された日付と、稼働累積時間とにより、適宜調整されるようになっている。稼働時間目盛部１４における目盛の調整（移動）については、後ほど詳しく説明する。
【００２６】
メンテナンス表示部１７は、メンテナンス項目に対応して、メンテナンスを行った第１マーク部１５やメンテナンスを行うことを推奨する第２マーク部１６を表示するものである。
図３に示すように、例えば、「２０１１年１月１日〜２０１３年２月１日」までの表示期間において、「２０１１年３月１０日」にエンジンオイルの交換を行ったとすると、メンテナンス表示部１７には、日付時間軸２０上において「２０１１年３月１０日」に対応する位置からメンテナンス表示部１７に向けて引いた仮想線Ｌ１と、エンジンオイルの交換を行ったことを示す第１マーク部１５を表示するためのマークエリアＥ２とが重なる部分（座標上）に、エンジンオイルの交換を行ったことを示す第１マーク部１５ａを表示する。
【００２７】
同様に、「２０１１年６月１８日」にエンジンオイルの交換を行ったとすると、日付時間軸２０において「２０１１年６月１８日」に対応する直下のメンテナンス表示部１７に、エ
ンジンオイルの交換を行ったことを示す第１マーク部１５ｂを表示する。このように、メンテナンス表示部１７には、メンテナンス時期に対応した位置に、メンテナンスを行ったことを示す第１マーク部１５ａ、１５ｂが示されるようになっている。
【００２８】
また、「２０１１年１月１日〜２０１３年２月１日」までの表示期間において、メンテナンスが行われていない区間（例えば、２０１２年３月１日以降）では、メンテナンス表示部１７には、各メンテナンス項目においてメンテナンスを行うことを推奨する第２マーク部１６を表示する。
上述したように、メンテナンス表示部１７には、日付目盛部１３で示された日付に応じて、各メンテナンス項目毎に、メンテナンスを行った第１マーク部１５やメンテナンスを行うことを推奨する第２マーク部１６が表示されるようになっている。
【００２９】
このように、メンテナンス表示部１７には、日付に対応付けられて第１マーク部１５や第２マーク部１６が表示されるようになっているが、これに加え、これら第１マーク部１５や第２マーク部１６は、稼働累積時間にも対応付けられている。
図３に示すように、例えば、日付目盛部１３とメンテナンス表示部１７との関係を見ると、「２０１１年３月１０日」にエンジンオイルの交換を行ったこと、「２０１１年６月１８日」にエンジンオイルの交換を行ったことが分かる。これに加えて、「２０１１年３月１０日」に対応する稼働時間軸２５に稼働累積時間を示す５００時間の目盛が付されており、また、「２０１１年６月１８日に対応する稼働時間軸２５にも稼働時間を示す７００時間が示されており、これにより、エンジンオイルの交換を行った稼働累積時間と日付との対応関係を把握することができる。さらには、２０１２年５月２０日」にエンジンオイルの交換を行うことを推奨することが示されており、この時点での稼働累積時間は、１８００時間であると予測することができる。
【００３０】
上述したような稼働時間目盛部１４と日付目盛部１３との対応付け、即ち、日付目盛部１３に対応した稼働累積目盛部１４の調整は、図１に示すように、表示装置１の制御部３に設けられた目盛調整部３０により行われる。この目盛調整部３０は、制御部３に格納されたプログラム等から構成されている。
以下、目盛調整部３０について詳しく説明する。
【００３１】
目盛調整部３０は、日付目盛部１３で日付表示した形態や第１マーク部１５や第２マーク部１６を表示している形態に応じて、稼働時間目盛部１４の稼働時間軸２５の位置、目盛線の位置、目盛線に付与する稼働累積時間の数値等を調整するものである。
目盛調整部３０は、図３に示すように、稼働時間軸２５の原点（表示開始点）Ｏ２を、上下方向に日付時間軸２０の表示開始点Ｏ１に合うように稼働時間軸２５の位置を調整する。即ち、目盛調整部３０は、日付目盛部１３の日付時間軸２０の表示開始点Ｏ１と上下方向に一致する位置に、稼働時間軸２５の表示開始点Ｏ２を設定する。上述したように、「２０１１年１月１日」が日付時間軸２０の表示開始点Ｏ１である場合、稼働時間軸２５の表示開始点Ｏ２も「２０１１年１月１日」に対応した位置となる。そして、稼働時間軸２５上の各位置は、稼働累積時間だけでなく、日付時間軸２０で示された日付に対応している。例えば、日付時間軸２０上において「２０１１年３月１０日」を示す位置から稼働時間軸２５に向けて引いた仮想線Ｌ１と、稼働時間軸２５とが交わる位置は、「２０１１年３月１０日」に対応する稼働累積時間（５００時間）を示すものとなっている。
【００３２】
目盛調整部３０は、稼働時間軸２５上に、日付に対応した稼働累積時間の目盛を付与するに際して、まず、記憶部４に記憶された複数の日付の中から、表示開始日付に最も近い日付を抽出する。また、目盛調整部３０は、表示開始日付に最も近い日付以降で、次にメンテナンスを行った日付を抽出する。以降、説明の便宜上、記憶部４でした２つの日付のうち、先に抽出した日付（古い日付）を先抽出日付といい、後に抽出した日付（新しい日付）を後抽出日付という。上述した説明の場合は、表示開始日付に最も近い日付が「先抽出日付」となり、次にメンテナンスを行った日付が「後抽出日付」となる。
【００３３】
目盛調整部３０は、先抽出日付と後抽出日付とを抽出後、先抽出日付から後抽出日付までの日数を計算する。また、目盛調整部３０は、先抽出日付での稼働累積時間と、後抽出日付での稼働累積時間とから、先抽出日付から後抽出日付までの稼働時間を算出する。
例えば、図４（ａ）に示すようにメンテナンス項目やメンテナンス時期が記憶されていたとする。上述したように表示開始日付を「２０１１年１月１日」にした場合、目盛調整部３０は、この「２０１１年１月１日」に最も近い日付である「２０１１年３月１０日」を、先抽出日付として抽出する。
【００３４】
また、「２０１１年３月１０日」の次にメンテナンスを行った日は、「２０１１年６月１８日」であるため、目盛調整部３０は、「２０１１年６月１８日」を後抽出日付として抽出する。また、目盛調整部３０は、先抽出日付から後抽出日付までの日数である「１００日」を算出すると共に、先抽出日付から後抽出日付までの稼働時間（算出稼働時間）を算出する。
【００３５】
図４（ａ）に示すように、記憶部４に記憶された先抽出日付の稼働累積時間が５００時間であり、後抽出日付の稼働時間が７００時間である場合、算出稼働時間は、７００時間−５００時間で２００時間となる。
ここで、目盛調整部３０で求めた算出稼働時間が、予め設定された最小目盛の長さ（例えば、１００時間）よりも長く且つ、後抽出日付の稼働累積時間が最小目盛長さで割りきれる場合（例えば、７００時間）、図４（ｂ）に示すように、後抽出日付に対応する稼働時間軸２５上に目盛線２２を付与し、後抽出日付に対応する稼働累積時間（７００時間）を目盛線２２の上側に付する。また、稼働時間軸２５において、先抽出日付に対応する位置に目盛線２２及び稼働累積時間（５００時間）を付すと共に、後抽出日付と先抽出日付との中間にも、目盛線２２を引き、目盛線２２に対応する稼働累積時間（６００時間）を付与する。
【００３６】
つまり、目盛調整部３０は、日付時間軸２０上において先抽出日付や後抽出日付に対応する位置から稼働時間軸２５に向けて引いた仮想線Ｌ１、Ｌ２と、稼働時間軸２５との交点上に稼働時間目盛部１４の目盛線２２を付与すると共に、この目盛線２２に対応する稼働累積時間の数値を付与する。目盛調整部３０によって稼働時間目盛部１４の目盛の位置調整が行われると、稼働時間軸２５に配置された目盛線に対応する位置（メンテナンスを行った稼働累積時間に対応する位置）であって、メンテナンス表示部１７に、メンテナンスを行った第１マーク部１５やメンテナンスを行うことを推奨する第２マーク部１６を表示する。図４（ｂ）の場合は、稼働時間軸２５上において、先抽出日付に対応する稼働累積時間（５００時間）を示す位置からメンテナンス表示部１７へ伸ばした仮想線Ｌ１上に、第１マーク部１５ａを表示すると共に、後抽出日付に対応する稼働累積時間（７００時間）を示す位置からメンテナンス表示部１７へ伸ばした仮想線Ｌ２上に、第１マーク部１５ｂを表示する。
【００３７】
一方、図４（ｃ）に示すように、「２０１１年３月１０日」である先抽出日付の稼働累積時間が５００時間であり、「２０１１年６月１８日」が５８０時間である場合、算出稼働時間は８０時間となる。この場合、算出稼働時間が最小目盛の長さ（１００時間）よりも短いため、目盛調整部３０は、まず、先抽出日付から後抽出日付までの日数（１００日）と、算出稼働時間とを用いて、例えば、一日当たりの単位稼働時間（８０時間／１００日＝０．８時間／日）を求め、後抽出日付以降において、稼働累積時間が最小目盛の長さで割り切れる６００時間になる日付を求める。目盛調整部３０は、６００時間になる日付に対応する稼働時間軸２５上に目盛線２２を引く。
【００３８】
図４（ｄ）に示すように、後抽出日付から数えて２５日後［（最小目盛長さ−算出稼働時間）÷単位稼働時間＝２０÷０．８）］の「２０１１年７月１３日」に６００時間になる計算になるため、「２０１１年７月１３日」に対応する稼働時間軸２５の上側に、６００時間を示す数値を付す。ここで、図４（ｄ）の場合は、稼働時間軸２５上において、先抽出日付に対応する稼働累積時間（５００時間）を示す位置からメンテナンス表示部１７へ伸ばした仮想線Ｌ１上に、第１マーク部１５ａを表示すると共に、後抽出日付に対応する稼働累積時間（５８０時間）を示す位置からメンテナンス表示部１７へ伸ばした仮想線Ｌ２上に、第１マーク部１５ｂを表示する。この場合は、表示部２（メンテナンス画面ＭＳ）において稼働時間軸２５の目盛線２２を見ると、後抽出日付の近傍に６００時間を示す目盛線２２が付されているため、稼働累積時間が大凡５８０時間でエンジンオイルの交換を行ったことを把握することができる。
【００３９】
稼働時間軸２５上に、６００時間に対応する目盛線２２を引いた後は、上述した方法と同じ方法で、記憶部４から先抽出日付と後抽出日付とを抽出し、これらと稼働累積時間を用いて目盛調整部３０における目盛を調整する。図４（ａ）に示すメンテナンス情報が記憶されている場合、例えば、２０１１年６月１８日以降では、当該２０１１年６月１８日が先抽出日付となり、次の２０１１年９月２６日が後抽出日付となる。
【００４０】
以上、目盛調整部３０では、日付目盛部１３の表示期間（２０１１年１月１日〜２０１３年２月１日）に入る先の日付（先抽出日付）を記憶部４から抽出すると共に、表示期間内であって先抽出日付よりも後の日付（後抽出日付）を記憶部４から抽出し、抽出した先抽出日付から後抽出日付までの間に作業機が稼働した稼働累積時間の長さを求め、求めた稼働累積時間の長さに基づいて、稼働時間目盛部１４の目盛の位置を調整している。
【００４１】
このようにすれば、メンテナンスを行った日付と、メンテナンスを行った稼働累積時間とを対応させて、表示部２（表示装置１）に表示することができる。また、稼働累積時間の推移、即ち、稼働累積時間の増加傾向を日付を対応させながら見ることができる。
さて、表示期間の中で、２０１２年３月１日以降は、メンテナンスが行われておらず、作業機も稼働していないとする。言い換えれば、現在の日付が２０１２年３月１日であり、２０１２年３月１日以降は、未来であるとする。このような場合、目盛調整部３０は、過去の稼働累積時間の実績を用いて、未来を表示する部分の稼働時間軸２５（稼働時間目盛部１４）の目盛を調整する。
【００４２】
具体的には、目盛調整部３０は、日付目盛部１３において過去の日付を付した目盛期間内（例えば、２０１１年１月１日〜２０１２年１月１日）内において、記憶部４に記憶されている日付の中から、最も２０１１年１月１日に近い２０１１年３月１０日を先抽出日付として抽出すると共に、最も２０１２年１月１日に近い２０１１年９月２６日を後抽出日付として抽出する。
【００４３】
目盛調整部３０は、先抽出日付から後抽出日付までの日数である「２００日」を算出すると共に、先抽出日付から後抽出日付までの算出稼働時間である５００時間を算出する。目盛調整部３０は、先抽出日付から後抽出日付までの日数と、算出稼働時間とを用いて、一日当たりの単位稼働時間（５００÷２００＝２．５時間／ｈ）を求める。そして、目盛調整部３０は、一日当たりの単位稼働時間を用いて、２０１２年３月１日以降の未来（未来期間）における稼働累積時間の目盛を付す。
【００４４】
上述したように、一日当たりの単位稼働時間が２．５時間／ｈの場合、２０１２年３月１日以降は、４０日毎に稼働累積時間が１００時間増加すると予想できる。ここで、図３に示すように、２０１２年３月１日から４０日が経過する毎に稼働時間軸２５上に目盛線２２を付す。また、各目盛線の上側に稼働累積時間を１００時間ずつ増加させながら当該稼働累積時間を示す数値を付す。例えば、２０１２年３月１日時点での稼働累積時間が１６００時間であるとすると、２０１２年３月１日以降の各目盛線２２の上側には、１６００時間に１００時間毎を加算した数値が付される。なお、この場合でも、稼働時間軸２５上に目盛線を付す間隔は、最小目盛の長さよりも大きくすることが好ましい。
【００４５】
未来期間において、稼働時間目盛部１４の目盛（目盛線や数値）の位置を決定後は、メンテナンス表示部１７に、メンテナンスを推奨する第２マーク部１６を表示する。例えば、エンジンオイルの交換が、稼働累積時間から見て１８００時間に行うことが良い場合、この稼働累積時間（１８００時間）に対応する位置に、エンジンオイルの交換を推奨する第２マーク部１６を付与する。ここで、第２マーク部１６を付す場合、第２マーク部１６を付す稼働累積時間に対応して日付目盛部１３の日付時間軸２０上に、第２マーク部１６を付した日付を表示することが好ましい。
【００４６】
なお、各メンテナンス項目において推奨される稼働累積時間は、各メンテナンス項目毎に予め記憶部４に記憶したり、或いは、各メンテナンス項目毎にメンテナンスを行う稼働累積時間を求める計算式を制御部３等に設けておくことが好ましい。
以上、目盛調整部３０によれば、日付目盛部１３において過去に日付を付した目盛期間（２０１１年１月１日〜２０１２年１月１日）に、作業機が稼働累積時間の長さを求め、
求めた稼働累積時間の長さに基づいて未来区間における稼働時間目盛部１４の目盛の位置を調整し、そのうえで、調整された目盛に応じて、メンテナンス表示部１７に、メンテナンスを推奨する第２マーク部１６を表示するようにしているため、どの時期にメンテナンスを行えば良いか、簡単に把握することができる。
【００４７】
上述した実施形態では、作業機のメンテナンスに関する情報を作業機に搭載したメンテナンス表示装置で表示しているが、図５に示すように、携帯端末４０と、管理サーバ４１とで構成した作業機のメンテナンス表示システム７によって表示するようにしてもよい。
携帯端末４０は、例えば、比較的演算能力の高いスマートフォン（多機能携帯電話）やタブレットＰＣ等の携帯型コンピュータ等で構成され、ネットワークを介して管理サーバ４１にアクセスできるようになっている。この携帯端末４０は、上述した表示装置１と同様に、メンテナンス情報を表示する表示部２と、携帯端末４０の全体を制御する制御部３とを備えている。制御部３は、タイマ部６と目盛調整部３０とを備えている。表示部２、タイマ部６及び目盛調整部３０の動作は、上述した実施形態と同様であるため説明を省略する。
【００４８】
管理サーバ４１は、作業機を販売する販売会社、作業機のメンテナンスを行うメンテナンス会社、作業機を製造する製造会社等に設置され、ネットワーク等を介して作業機に関する情報が入力されるようになっている。また、管理サーバ４１は、表示装置１と同様に作業機のメンテナンスに関するメンテナンス情報が記憶されている。
携帯端末４０の表示部２にメンテナンス情報を表示するには、携帯端末４０によって管理サーバ４１にアクセスを行い、管理サーバ４１の記憶部に蓄積されたメンテナンス情報を読み込む。そして、読み込んだメンテナンス情報を携帯端末４０の表示部２に表示する。
【００４９】
なお、図５の作業機のメンテナンス表示システムでは、管理サーバ４１にアクセスして、メンテナンスに関する情報を取得し、取得した情報を表示するようにしていたが、これに代え、携帯端末４０の単体で、作業機のメンテナンス表示装置を構成してもよい。この場合は、携帯端末４０にメンテナンス情報を記憶する記憶部４を設けることが好ましい。また、携帯端末４０と作業機とを無線通信(例えば、近距離無線通信)によってアクセスできるようにし、作業機が駆動した駆動状態を携帯端末４０が取得できるようにし、カウント部５によって作業機が駆動したときの稼働累積時間を計算できるようにしてもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。作業機は、トラクタ、コンバイン、田植機などの農業機械であってもよいし、バックホーなどの建設機械であってもよい。
【符号の説明】
【００５１】
１  表示装置
２  表示部
３  制御部
４  記憶部
５  カウント部
６  タイマ部
１０  第１エリア
１１  第２エリア
１３  日付目盛部
１４  稼働時間目盛部
１５  第１マーク
１６  第２マーク
１７  メンテナンス表示部
２０  日付時間軸
２５  稼働時間軸
３０  目盛調整部
４０  携帯端末
４１  管理サーバ
Ｏ１  表示開始点
Ｅ１  表示終了点
ＭＳ  メンテナンス画面
【図１】
2014070434.tif 000003
【図２】
2014070434.tif 000004
【図３】
2014070434.tif 000005
【図４】
2014070434.tif 000006
【図５】
2014070434.tif 000007